(57)【要約】      （修正有）【課題】アラームヘッドを提供する。【解決手段】外輪ベース１、固定ブラケット２、拡大部３、連結リング４、圧電板５及び反射板６を含む。そのうち反射板６と外輪ベース１の内側とはある間隔を離れ、放音孔を形成し、反射板６と拡大部３とはある距離を離れて放音道を形成し、且つ拡大部３が出す音を該放音道の中に反射して該放音孔によって出し、顕著にボリュームを拡大する効果に達する。これは広く知られる他のアラーム技術と比較すると、アラームの音を更に集中させることができ、外界の環境因子に妨害されず、通報の効果を発揮する。その他、これはアラームの音をより向上させ、更に警報装置の体積を縮小し、投入する設備の数量を削減し、設置コスト及びスペースを低下させることができる。【選択図】図１
0003209952.tif 000002
【実用新案登録請求の範囲】
【請求項１】
アラームヘッドであって、以下を含む：
外輪ベースであって、中空体で、そのうち該外輪ベースの内壁に制限部が設けられ、該外輪ベースの一端に該制限部に延伸して複数の柱状体が設けられる；
固定ブラケットであって、該外輪ベースの他端に設けられる；
拡大部であって、該外輪ベースの中に設けられ、該拡大部の一つの側縁は該制限部と連結され、且つ共鳴室が設けられる；
連結リングであって、中空の環状体で、該外輪ベースの中に且つ該拡大部と該固定ブラケットとの間に設けられ、該連結リングは該拡大部のもう一つの側縁と連結され、且つ該拡大部を該制限部と該連結リングとの間に挟む；
圧電板であって、該外輪ベースの中に且つ該拡大部と該固定ブラケットとの間に設けられる；及び
反射板であって、該外輪ベースの内側に設けられ且つそれぞれの該柱状体と連結され、該反射板と該外輪ベースの内側とはある間隔を離れ、放音孔を形成し、該反射板と該拡大部とはある距離を離れて放音道を形成し、且つ該拡大部が出す音を該放音道の中に反射して且つ該放音孔によって出す。
【請求項２】
請求項１に記載のアラームヘッドであって、そのうち該放音孔の幅は３．８〜４．２ｍｍである。
【請求項３】
請求項１に記載のアラームヘッドであって、そのうち該反射板の中央に突起部が設けられ、該突起部に該反射板の縁に延伸して平板部が設けられ、該平板部に該反射板の縁に延伸してアーク部が設けられ、そのうち該アーク部は該アラームヘッドの中心方向に凹み且つそれぞれの該複数の柱状体と連結される。
【請求項４】
請求項３に記載のアラームヘッドであって、そのうち該アーク部と該拡大部の側縁との垂直距離は５．５〜７．２ｍｍである。
【請求項５】
請求項３に記載のアラームヘッドであって、そのうち該平板部と該拡大部の側縁との垂直距離は８〜１０ｍｍである。
【請求項６】
請求項１に記載のアラームヘッドであって、そのうち該拡大部の他端に該アラームヘッドの中心方向に凹む共鳴曲面が設けられ、該共鳴曲面の半径は２ｍｍで、そのうち該共鳴曲面が該アラームヘッドの中心に向く片側は該拡大部と該共鳴室を形成する。
【請求項７】
請求項１に記載のアラームヘッドであって、そのうち該拡大部は該共鳴室と該圧電板との連結場所から該拡大部の側縁に向き、該アラームヘッドの中心方向に凹んで順次に延伸して第一曲面、第二曲面及び第三曲面が設けられ、そのうち該第一曲面の半径は３．５〜４．１ｍｍで、該第二曲面の半径は１１．６ｍｍで、該第三曲面の半径は３３．４ｍｍである。
【請求項８】
請求項７に記載のアラームヘッドであって、そのうち該拡大部の側縁と該圧電板との垂直距離は８．２２ｍｍである。
【請求項９】
請求項７に記載のアラームヘッドであって、そのうち該拡大部の側縁の直径は４６．５ｍｍで、該第三曲面の直径は４１．９６ｍｍである。
【考案の詳細な説明】
【技術分野】
【０００１】
本創作は警報及び早期警戒装置に関し、特に音を拡大することができるアラームヘッドである。
【背景技術】
【０００２】
近年、人事コストの向上、自動化または無人化管理、在宅防盗及び公共安全の需要に連れて、警報装置の設置及び需要量も増加した。警報装置の使用範囲は広く且つ変化が多く、例えば防盗警報装置、煙警報装置、温度探査装置及び赤外線探査装置など、その設定場所は公共の場所、ビルディング、無人工場、戸外広場など至るところに分布し、広く知られる警報装置は室内に設置される時、外界の各種類の環境、例えば人の声、風の音、部屋の壁、地形などの因子に妨害されることが多いため、アラームの音が低すぎる又は障害物に吸収、反射されるなどの状況を引き起こし、このせいで音を順調にユーザ又は管理者に通知することができなくなり、更に最も早めに警報する目的を効果的に達することもできない。
【考案の概要】
【考案が解決しようとする課題】
【０００３】
このため、如何順調に警報装置のボリュームを効果的に向上させ、且つ外部の環境因子による妨害を克服し、警報装置を早期警戒の機能に達するようにさせるかは、各方が努力して達成しようとする目標であり、この行為は警報装置の体積を縮小することができるだけではなく、更に投入する設備の数量を削減し、設置コストとスペースを低下することができる。
【課題を解決するための手段】
【０００４】
本創作はアラームヘッドを提供し、以下を含む：外輪ベース、固定ブラケット、拡大部、連結リング、圧電板及び反射板。そのうち外輪ベースは中空体であり、この外輪ベースの内壁に制限部が設けられ、該外輪ベースの一端に該制限部に延伸して複数の柱状体が設けられ、この複数の柱状体は反射板と連結され、この外輪ベースの他端に固定ブラケットが設けられ、拡大部は外輪ベースの中に設けられ、且つこの拡大部の一つの側縁は該制限部と連結され、且つ共鳴室が設けられ、拡大部のもうひとつの側縁は連結リングと連結され、拡大部を該連結リングと制限部との間に挟まれるようにさせ、そのうち該連結リングは中空の環状体であって、圧電板は、該外輪ベースの中に且つ該拡大部と該固定ブラケットとの間に設けられ、該拡大部の他端に該アラームヘッドの中心方向に凹む共鳴曲面が設けられ、該共鳴曲面の半径は２ｍｍで、そのうち該共鳴曲面の該アラームヘッドの中心に向く片側は該拡大部と該共鳴室を形成し、該圧電板は入力される電源によって振動を生成し、音を出し、且つ該共鳴室に共鳴し、音を拡大した後該拡大部の一端から出し、及び反射板は、該外輪ベースの内側に設けられてそれぞれの該柱状体と連結され、該反射板と該外輪ベースの内側とはある間隔を離れ、放音孔を形成し、この放音孔の幅は３．８〜４．２ｍｍで、該反射板と該拡大部とはある距離を離れて放音道を形成し、且つ該拡大部が出す音を該放音道の中に反射して該放音孔によって出す。
【０００５】
そのうち該反射板の中央に突起部が設けられ、該突起部に該反射板の縁に延伸して平板部が設けられ、該平板部に該反射板の縁に延伸してアーク部が設けられ、そのうち該アーク部は該アラームヘッドの中心方向に凹み且つそれぞれの該複数の柱状体と連結される。そのうち該アーク部と該拡大部の側縁との垂直距離は５．５〜７．２ｍｍである。そのうち該平板部と該拡大部の側縁との垂直距離は８〜１０ｍｍである。
【０００６】
そのうち該拡大部は該共鳴室と該圧電板との連結場所から該拡大部の側縁に向き、該アラームヘッドの中心方向に凹んで順次に延伸して第一曲面、第二曲面及び第三曲面が設けられ、そのうち該第一曲面の半径は３．５〜４．１ｍｍで、該第二曲面の半径は１１．６ｍｍで、該第三曲面の半径は３３．４ｍｍである。そのうち該拡大部の側縁と該圧電板との垂直距離は８．２２ｍｍである。そのうち該拡大部の側縁の直径は４６．５ｍｍで、該第三曲面の直径は４１．９６ｍｍである。
【０００７】
本創作のアラームヘッドの放音道及び放音孔の設置はアラームの音を効果的に向上させ、広く知られる他のアラーム技術と比較すると、アラームの音を更なる集中させることができ、外界の環境因子に妨害されなく、通報の効果を発揮する。その他、本創作はアラームの音を成功に向上させ、更に警報装置の体積を縮小し、投入する設備の数量を削減し、設置コスト及びスペースを低下させる目標に達することができる。
【図面の簡単な説明】
【０００８】
【図１】本創作のアラームヘッドの部品説明図である。
【図２】本創作のアラームヘッドの部品説明図である。
【図３】本創作の第２図の横断面線ＡＡの断面図である。
【図４】本創作のアラームヘッドの外観説明図である。
【図５】本創作のアラームヘッドの外観説明図である。
【図６】本創作の第５図の横断面線ＢＢの断面図である。
【図７】広く知られるアラームヘッドのボリューム−周波数（ｄｂ−Hｚ）の図である。
【図８】本創作のアラームヘッドのボリューム−周波数（ｄｂ−Hｚ）の図である。
【考案を実施するための形態】
【０００９】
それぞれの図面を参照して下さい、そのうち第１図及び第２図は本創作のアラームヘッドの部品説明図であって、第３図は第２図の横断面線AAの断面図であり、そのうち本創作のアラームヘッドは外輪ベース１、固定ブラケット２、拡大部３、連結リング４、圧電板５及び反射板６を含み、そのうち外輪ベース１は中空体で、そのうち該外輪ベース１の内壁に制限部１１が設けられ、該外輪ベース１の一端に該制限部１１に延伸して複数の柱状体１２が設けられ、固定ブラケット２は外輪ベース１の他端に設けられ、拡大部３は該外輪ベース１の中に設けられ且つ該拡大部３の一つの側縁は該制限部１１と連結され、連結リング４は中空の環状体であり、該外輪ベース１に且つ該拡大部３と該固定ブラケット２との間に設けられ、該連結リング４は該拡大部３のもう一つの側縁と連結され、且つ該拡大部３を該制限部１１と該連結リング４との間に挟む；圧電板５は該外輪ベース１の中に且つ該拡大部３と該固定ブラケット１との間に設けられる；及び反射板６は該外輪ベース１の内側に設けられてそれぞれの該柱状体１２と連結される。
【００１０】
第４〜６図を参照すると、そのうち第４図及び第５図は本創作のアラームヘッドの外観説明図であって、図面に示されるように、外輪ベース１は本創作のアラームヘッドの外部に設けられ、且つ拡大部３、連結リング４、圧電板５、制限部１１、複数の柱状体１２、共鳴室３１を外輪ベース１及び固定ブラケット２の中に覆い、反射板６の一部分だけは外輪ベース１の中に設けられる。
【００１１】
第６図に示されるように、第５図の横断面線BBの断面図であって、図面から見ると以下が分かり、反射板６と該外輪ベース１の内側とはある間隔を離れ、放音孔１３を形成し、該反射板６と該拡大部３とはある距離を離れて放音道１４を形成し、且つ該拡大部３が出す音を該放音道１４の中に反射して該放音孔１３によって出し、そのうち該放音孔の幅は３．８〜４．２ｍｍである。第４〜６図に示されるように、反射板６の中央に突起部６１が設けられ、該突起部６１に該反射板６の縁に延伸して平板部６２が設けられ、該平板部６２に該反射板６の縁に延伸してアーク部６３が設けられ、そのうち該アーク部６３は該アラームヘッドの中心方向に凹み且つそれぞれの該複数の柱状体１２と連結される。そのうち拡大部３の他端に該アラームヘッドの中心方向に凹む共鳴曲面が設けられ、該共鳴曲面の半径は２ｍｍで、そのうち該共鳴曲面が該アラームヘッドの中心に向く片側は該拡大部３と該共鳴室３１を形成し、そのうち該拡大部３の側縁と該圧電板５との垂直距離は８．２２ｍｍである。そのうち該拡大部３は該共鳴室３１と該圧電板５との連結場所から該拡大部３の側縁に向き、該アラームヘッドの中心方向に凹んで順次に延伸して第一曲面３２、第二曲面３３及び第三曲面３４が設けられ、そのうち該第一曲面３２の半径は３．５〜４．１ｍｍで、該第二曲面３３の半径は１１．６ｍｍで、該第三曲面３４の半径は３３．４ｍｍである。そのうち該拡大部３の側縁の直径は４６．５ｍｍで、該第三曲面３４の直径は４１．９６ｍｍである。そのうち該アーク部６３と該拡大部３の側縁との垂直距離は５．５〜７．２ｍｍで、そのうち該平板部６２と該拡大部の側縁との垂直距離は８〜１０ｍｍである。
【００１２】
第７図の広く知られるアラームヘッドのボリューム−周波数（ｄｂ−Hz）の図及び第８図の本創作のアラームヘッドのボリューム−周波数（ｄｂ−Hz）の図を参照すると、図面に示されるように、本創作は広く知られる技術と比べ、ボリュームを顕著に１００ｄｂ以上に向上させることができ、それは反射板６と該拡大部３との間における放音道１４を利用し、且つ該拡大部３が出す音を該放音道１４の中に反射して且つ該放音孔１３によって出し、ボリュームを拡大する効果を顕著に達する。
【００１３】
本創作のアラームヘッドは、広く知られる他のアラーム技術と比較すると、更に以下の利点を有する：
１．放音道及び放音孔の設置はアラームの音を効果的に向上させ、且つアラームの音を更なる集中させ、外界の環境因子に妨害されなく、通報の効果を発揮する。
２．本創作はアラームの音を成功に向上させ、更に警報装置の体積を縮小し、投入する設備の数量を削減し、設置コスト及びスペースを低下させる目標に達することができる。
【符号の説明】
【００１４】
１  外環ベース
２  固定ブラケット
３  拡大部
４  連結リング
５  圧電板
６  反射板
１１  制限部
１２  柱状体
１３  放音孔
１４  放音道
３１  共鳴室
３２  第一曲面
３３  第二曲面
３４  第三曲面
６１  突起部
６２  平板部
６３  アーク部
【図１】
0003209952.tif 000003
【図２】
0003209952.tif 000004
【図３】
0003209952.tif 000005
【図４】
0003209952.tif 000006
【図５】
0003209952.tif 000007
【図６】
0003209952.tif 000008
【図７】
0003209952.tif 000009
【図８】
0003209952.tif 000010